(57)【要約】【課題】外部装置と通信する際に冷却ファンの安定動作が可能な画像表示装置を提供する。【解決手段】外部装置と通信可能な画像表示装置であって、冷却手段と、冷却手段を駆動する駆動手段と、駆動手段を制御する制御手段とを有し、制御手段は、外部装置から信号を受信したと判定した場合、外部電源を用いて冷却手段を第１の期間だけ駆動させるよう制御し、第１の期間が経過してから第２の期間において、信号を受信しても、外部電源を用いて冷却手段の駆動を行わないように制御する。【選択図】図１
2013044975.tif 000002
【特許請求の範囲】
【請求項１】
外部装置と通信可能な画像表示装置であって、
冷却手段と、
前記冷却手段を駆動する駆動手段と、
前記駆動手段を制御する制御手段と、を有し、
前記制御手段は、前記外部装置から信号を受信したと判定した場合、外部電源を用いて前記冷却手段を第１の期間だけ駆動させるよう制御し、
前記第１の期間が経過してから第２の期間において、前記信号を受信しても、外部電源を用いて前記冷却手段の駆動を行わないように制御する、ことを特徴とする画像表示装置。
【請求項２】
電荷を蓄積する充電手段を更に有し、
前記充電手段は、前記第２の期間において、前記冷却手段を駆動させるための電源として用いられることを特徴とする請求項１に記載の画像表示装置。
【請求項３】
外部装置と通信可能な画像表示装置の冷却方法であって、
前記外部装置からの信号を受信したか否かを判定するステップと、
前記信号を受信したと判定した場合、外部電源を用いて冷却手段を第１の期間だけ動作させるように制御するステップと、
前記第１の期間が経過してから第２の期間において、前記信号を受信しても、外部電源を用いて前記冷却手段を動作させないように制御するステップと、を有することを特徴とする画像表示装置の冷却方法。
【請求項４】
前記第２の期間において、前記冷却手段を動作させるための電源として充電手段が用いられていることを特徴とする請求項３に記載の画像表示装置の冷却方法。
【発明の詳細な説明】
【技術分野】
【０００１】
本発明は、画像表示装置および画像表示装置の冷却方法に関する。
【背景技術】
【０００２】
会議室やプレゼンテーションルームに設置される画像表示装置（プロジェクタ）の操作は、付属リモコンや装置本体の操作パネルを用いずに、会議室やプレゼンテーションルーム全体の機器を制御するコントローラ装置を用いて行われることが多い。この場合、コントローラ装置と各機器の間はシリアルの専用線で接続されており、コントローラ装置は各機器の状態を常に監視するために、各機器に対して状態要求コマンドを送信し、動作状態を確認している。画像表示装置が待機状態にある場合、コントローラ装置が状態要求コマンドを送信すると、画像表示装置は、その内部の一部の回路ブロックを起動して必要な情報を取得したのち、コントローラ装置に応答する。このとき、画像表示装置の消費電力が増加して内部温度が上昇するため、冷却ファンが一定期間だけ作動する。
【０００３】
ところが、冷却ファンが停止した直後に更に状態要求コマンドが送信される場合がある。冷却ファンは、駆動状態（回転状態）から停止状態に移行する際に再度起動されると、保護回路が正常に動作しないおそれがある。
【０００４】
特許文献１には、回路の負荷電流に応じて冷却ファンの動作期間を変更する装置が開示されている。
【先行技術文献】
【特許文献】
【０００５】
【特許文献１】実開平６−８２８９２号公報
【発明の概要】
【発明が解決しようとする課題】
【０００６】
しかしながら、特許文献１に開示されている装置は、消費電力に応じて冷却ファンの間欠駆動を行う。このため、このような装置を外部装置からのアクセスに応じて動作させる装置に適用することは困難である。また、プロジェクタの投射用ランプのように装置の大部分の消費電力を必要とする部材が存在する場合、負荷に応じて状態を把握することは困難である。
【０００７】
また、装置には冷却ファンが回転しているか否かを示す検出端子が設けられているが、その検出タイミングが停止タイミングとずれている場合がある。このため、冷却ファンの停止直後に再起動しようとすると、冷却ファンの動作が不安定になるおそれがある。
【０００８】
また画像表示装置には、投射時にＡＣコンセントが抜かれても（外部電源からの電源の供給が停止されても）、一定時間だけ装置内部を冷却するための充電回路が内蔵されていることが多い。このような充電回路が内蔵されている場合、画像表示装置内部のコントローラが冷却ファンの回転を停止させるように制御した場合でも、供給電圧が徐々に低下しながら冷却ファンの回転が一定期間継続する。この場合、低電圧印加状態が継続し、冷却ファンの再起動時に冷却ファンの保護回路が正常に動作しない不安定な期間が存在する。
【０００９】
そこで本発明は、外部装置と通信する際に冷却ファンの安定動作が可能な画像表示装置、および、画像表示装置の冷却方法を提供することができる。
【課題を解決するための手段】
【００１０】
本発明の一側面としての画像表示装置は、外部装置と通信可能な画像表示装置であって、冷却手段と、前記冷却手段を駆動する駆動手段と、
前記駆動手段を制御する制御手段とを有し、前記制御手段は、前記外部装置から信号を受信したと判定した場合、外部電源を用いて前記冷却手段を第１の期間だけ駆動させるよう制御し、前記第１の期間が経過してから第２の期間において、前記信号を受信しても、外部電源を用いて前記冷却手段の駆動を行わないように制御する。
【００１１】
本発明の他の側面としての画像表示装置の冷却方法は、外部装置と通信可能な画像表示装置の冷却方法であって、前記外部装置からの信号を受信したか否かを判定するステップと、前記信号を受信したと判定した場合、外部電源を用いて冷却手段を第１の期間だけ動作させるように制御するステップと、前記第１の期間が経過してから第２の期間において、前記信号を受信しても、外部電源を用いて前記冷却手段を動作させないように制御するステップとを有する。
【００１２】
本発明の他の目的及び特徴は、以下の実施例において説明される。
【発明の効果】
【００１３】
本発明によれば、外部装置と通信する際に冷却ファンの安定動作が可能な画像表示装置、および、画像表示装置の冷却方法を提供することができる。
【図面の簡単な説明】
【００１４】
【図１】本実施例における画像表示装置の外部との通信および冷却に関する部分の電気的ブロック図である。
【図２】本実施例における画像表示装置の冷却方法のフローチャートである。
【図３】本実施例における画像表示装置の冷却方法のタイムチャートである。
【図４】本実施例における画像表示装置の冷却方法のフローチャートである。
【発明を実施するための形態】
【００１５】
以下、本発明の実施例について、図面を参照しながら詳細に説明する。各図において、同一の部材については同一の参照番号を付し、重複する説明は省略する。
【００１６】
まず、図１を参照して、本実施例における画像表示装置（プロジェクタ）の冷却部について説明する。図１は、画像表示装置の外部との通信および冷却に関する部分の電気ブロック図であり、画像表示装置における通信部、制御部、および冷却部の構成を示している。図１において、１１は、冷却部を駆動するための電源Ｌ１１（外部電源）を供給する電源端子である。１２は、外部装置（不図示）から通信信号を入力し、また外部装置に通信信号を出力する通信インターフェース端子である。このように、画像表示装置は外部装置と通信可能に構成されている。
【００１７】
２１は、画像表示装置のシステム全体を制御するコントローラ（制御手段）である。２２は、コントローラ２１から出力される制御信号Ｌ１３により制御され、後述のファン駆動回路２３に電源Ｌ１１（外部電源）を供給してファンを駆動するか否かを制御するファン駆動スイッチである。２３は、コントローラ２１からの制御信号Ｌ１２により出力電圧が制御され、後述のファン駆動電圧（電源Ｌ１５、Ｌ１８、Ｌ２１、Ｌ２４）を供給する（すなわち、後述の冷却手段を駆動する）ファン駆動回路（駆動手段）である。２５は、ファン駆動スイッチ２２がオンになって電源Ｌ１７が供給されることにより、その内部に電荷を蓄積し、その蓄積電荷に基づく電源Ｌ１４を後述のスイッチ回路２８、３１、３４、３７に供給するファン駆動用充電回路（充填手段）である。ファン駆動用充電回路２５は、冷却ファン３０、３３、３６、３９を動作させるための電源として用いられる。
【００１８】
２６は、後述のネットワークドライバ２７（信号線Ｌ２７、Ｌ２８）を介して外部装置との通信を行い、受信コマンドを解読し、必要に応じて受信情報を、信号線Ｌ２９を介してコントローラ２１へ送る通信制御回路である。２７は、外部装置との信号のやりとりを行うネットワークドライバ回路である。
【００１９】
２８は、電源端子１１から供給される電源Ｌ１７（外部電源）がオフになった場合、ファン駆動用充電回路２５から供給された電源Ｌ１４を後述の加算回路２９に伝達するスイッチ回路である。２９は、ファン駆動回路２３から供給される電源Ｌ１５（駆動信号）とスイッチ回路２８から供給される電源Ｌ１６とを加算する加算回路である。３０は、加算回路２９からの出力信号（電源Ｌ３０）に基づいて駆動される冷却ファン（冷却手段）である。
【００２０】
３１は、電源端子１１から供給される電源Ｌ１７がオフになった場合、ファン駆動用充電回路２５から供給された電源Ｌ１４を後述の加算回路３２に伝達するスイッチ回路である。３２は、ファン駆動回路２３から供給される電源Ｌ１８（駆動信号）とスイッチ回路３１から供給される電源Ｌ１９とを加算する加算回路である。３３は、加算回路３２からの出力信号（電源Ｌ３１）に基づいて駆動される冷却ファン（冷却手段）である。
【００２１】
３４は、電源端子１１から供給される電源Ｌ１７がオフになった場合、ファン駆動用充電回路２５から供給された電源Ｌ１４を後述の加算回路３５に伝達するスイッチ回路である。３５は、ファン駆動回路２３から供給される電源Ｌ２１（駆動信号）とスイッチ回路３４から供給される電源Ｌ２２とを加算する加算回路である。３６は、加算回路３５からの出力信号（電源Ｌ３２）に基づいて駆動される冷却ファン（冷却手段）である。
【００２２】
３７は、電源端子１１から供給される電源Ｌ１７がオフになった場合、ファン駆動用充電回路２５から供給された電源Ｌ１４を後述の加算回路３８に伝達するスイッチ回路である。３８は、ファン駆動回路２３から供給される電源Ｌ２５（駆動信号）とスイッチ回路３７から供給される電源Ｌ２５とを加算する加算回路である。３９は、加算回路３８からの出力信号（電源Ｌ３３）に基づいて駆動される冷却ファン（冷却手段）である。
【００２３】
次に、図２を参照して、本実施例におけるコントローラ２１の動作（画像表示装置の冷却方法）について説明する。図２は、画像表示装置の冷却方法のフローチャートである。本フローチャートにおいて、画像表示装置は画像表示（画像投影）を行っていない状態（待機状態）であり、受信データがない場合には冷却ファンは動作しない。このような待機状態では、通信機能を維持するためのコントローラ２１に対しては電源（外部電源）が供給されている。
【００２４】
図２に示されるフローチャートにおいて、まずステップＳ１０において、初期化が行われる。具体的には、カウントダウンタイマーＴの値およびカウントダウンタイマーＤの値をそれぞれ０に設定し、レジスタＦにＯＦＦ（０）を書き込む。カウントダウンタイマーＴは、後述の受信データを受け取った場合に冷却ファンを動作させる期間（第１の期間）を設定するために設けられている。カウントダウンタイマーＤは、第１の期間が経過してから更に受信データを受け取った場合に冷却ファンの駆動を行わないようにファン駆動回路２３を制御する期間（第２の期間）を設定するために設けられている。第２の期間は、例えばファン駆動用充電回路２５により冷却ファンが動作する期間に応じて適宜設定される。
【００２５】
続いてステップＳ１１において、コントローラ２１は、通信制御回路２６からの受信データがあるか否かを判定する。受信データがない場合にはステップＳ１５に進む。一方、受信データがある場合にはステップＳ１２に進む。ステップＳ１２において、コントローラ２１は、現在のカウントダウンタイマーＤの値が０であるか否か、すなわち冷却ファン非動作期間（第２の期間内）であるか否かを判定する。カウントダウンタイマーＤの値が０の場合（ファン非動作期間でない場合）にはステップＳ１７に進む。一方、カウントダウンタイマーＤの値が０でない場合（ファン非動作期間である場合）にはステップＳ１３に進む。
【００２６】
ステップＳ１３において、コントローラ２１は、受信データに従って各種の処理を行う。各種処理の終了後、ステップＳ１４に進む。ステップＳ１４において、コントローラ２１は、ステップＳ１３における処理結果を外部装置に送信する（レスポンス出力）。レスポンス出力が完了すると、ステップＳ１１に戻る。
【００２７】
ステップＳ１１において、受信データがない場合にはステップＳ１５に進む。コントローラ２１は、ステップＳ１５において、レジスタＦが１（ＯＮ）であり、かつ、カウントダウンタイマーＴが０（第１の期間内）であるか否かを判定する。２つの条件を満たす場合、すなわち、冷却ファンが駆動状態であり、かつ、カウントダウンタイマーＴのカウントダウンが終了した状態である場合にはステップＳ１６に進む。ステップＳ１６において、コントローラ２１は、レジスタＦを０（ＯＦＦ）にし、カウントダウンタイマーＤを例えば１８０（Ｄ＝１８０）にセットする。すなわち、冷却ファンが１８０秒間（第２の期間）だけ動作しないように設定される。その後、ステップＳ１１に戻る。一方、ステップＳ１５において少なくとも一方の条件が満たされていない場合、ステップＳ１１に戻る。
【００２８】
ステップＳ１２において、ファン非駆動期間でない場合、すなわちカウントダウンタイマーＤの値が０である場合、ステップＳ１７において、冷却ファンを駆動状態にし、カウントダウンタイマーＴを例えば２４０（Ｔ＝２４０）にセットする。すなわち、冷却ファンが２４０秒間（第１の期間）だけ動作するように設定される。このようにコントローラ２１は、待機状態において外部装置から通信信号（第１の信号）を受信したと判定した場合、冷却ファンを第１の期間（カウントダウンタイマーＴに設定された値）だけ動作させるようにファン駆動回路２３を制御する。その後、上述のようにステップＳ１３に進み、コントローラ２１は各種処理を行う。
【００２９】
次に、図３（ａ）〜（ｃ）を参照して、画像表示装置の動作（冷却方法）について説明する。図３（ａ）〜（ｃ）は、画像表示装置の冷却方法を示すタイムチャートであり、外部装置からのアクセス間隔がそれぞれ異なる場合を示している。本実施例において、冷却ファンの動作期間（冷却期間）を単位時間３つ分、非動作期間を単位時間２．２つ分としているが、これらに限定されるものではない。
【００３０】
図３（ａ）は、カウントダウンタイマーＴよりも短い間隔で繰り返し外部装置からアクセスされる場合のタイムチャートである。本図では、単位時間２つ分の間隔でアクセスされる場合を示している。図３（ｂ）は、カウントダウンタイマーＴよりも長い間隔で、かつ、カウントダウンタイマーＴとカウントダウンタイマーＤの時間を合わせた時間よりも短い間隔で繰り返し外部装置からアクセスされる場合のタイムチャートである。本図では、単位時間４つ分の間隔で外部装置からアクセスされる場合を示している。図３（ｃ）は、カウントダウンタイマーＴとカウントダウンタイマーＤの時間を合わせた時間よりも長い間隔で繰り返し外部装置からアクセスされる場合のタイムチャートである。本図では、単位時間６つ分の間隔で外部装置からアクセスされる場合を示している。
【００３１】
コントローラ２１は、電源Ｌ１１が供給されると、図２のステップＳ１０において初期化動作を行うとともにカウントダウンタイマーＴおよびカウントダウンタイマーＤの値を０に設定する。またコントローラ２１は、レジスタＦに０を入力する。同時に、通信制御回路２６およびネットワークドライバ２７にも電源Ｌ１１が供給され、画像表示装置は外部装置と通信可能な状態となる。
【００３２】
続いてステップ１１において、コントローラ２１は、画像表示装置が外部装置からの通信信号を受信したか否かを判定する。画像表示装置が通信信号を受信していない場合、ステップＳ１５に進む。ステップＳ１５において、Ｆ＝ＯＮ（冷却ファンが駆動されている状態）で、かつ、カウントダウンタイマーＴの値が０（Ｔ＝０）であるかを判定する。現段階ではＦ＝ＯＦＦであるため、ステップＳ１１に戻る。このように、外部装置からの通信信号を待っている状態（受信待ち状態）では、画像表示装置は上記動作を繰り返す。
【００３３】
通信インターフェース端子１２を介して外部装置から画像表示装置にアクセスがあると、アクセス信号は信号線Ｌ２７を介してネットワークドライバ２７に送られる。ネットワークドライバ２７は、受け取ったデータ（アクセス信号）を通信制御回路２６に出力する。また通信制御回路２６は、このデータをコントローラ２１に出力（受信データ）する。コントローラ２１は、この受信データを受け取ると、ステップＳ１１からステップＳ１２に進む。ステップＳ１２では、カウントダウンタイマーＤの値が０であるため、ステップＳ１７に進む。
【００３４】
ステップＳ１７では、Ｆ＝ＯＮ、すなわち冷却ファンを起動して回転させる（起動状態）。これは、図１に示されるファン駆動スイッチ回路を制御信号Ｌ１３により短絡させて電源Ｌ１１をファン駆動回路２３に供給することに相当する。これにより、ファン駆動回路２３は、コントローラ２１からの制御信号Ｌ１２に応じた電圧（電源）を信号線Ｌ１５、Ｌ１８、Ｌ２１、Ｌ２４に出力する。また、カウントダウンタイマーＴの値を２４０にセットし、ステップＳ１３に進む。
【００３５】
続いてステップＳ１３において、コントローラ２１は、受信データを処理する。例えば、画像表示装置が待機状態または投影状態のいずれであるかなどの動作状態要求や、画像表示装置の通電時間などの情報要求に対して、画像表示装置の内部にある記憶素子ＩＣや信号処理ＩＣに保持されている情報を取り出して送信データを生成する。この処理が終了するとステップＳ１４に進み、送信データを通信制御回路２６に出力する。また通信制御回路２６は、送信プロトコルを生成し、ネットワークドライバ２７を介して通信インターフェース端子１２から外部装置に出力（レスポンス信号）する。コントローラ２１は、送信データを通信制御回路２６に出力すると、ステップＳ１１に進む。ステップＳ１１において、受信データがない場合にはステップＳ１５に進む。ステップＳ１５では、カウントダウンタイマーＴの値がまだ０になっていないため、ステップＳ１１に進み、カウントダウンタイマーＴの値が０になるまでステップＳ１１とステップＳ１５とを繰り返す。
【００３６】
ここで、図３（ａ）に示されるタイムチャートを参照して、外部装置からのアクセス間隔がカウントダウンタイマーＴよりも短い場合について説明する。ここでは、上記の一回目のアクセス信号に対する処理が終了してＳ１１に戻ったところから説明する。図２中のステップＳ１１とステップＳ１５を繰り返している間、カウントダウンタイマーＴ＝０となる前にステップＳ１１にて受信データを受けると、ステップＳ１２に進む。ここでは、カウントダウンタイマーＤ＝０であるからステップＳ１７に進み、冷却ファンが駆動状態となる。ここでは、冷却ファンは既に駆動状態であるため、この状態が保たれる。またステップＳ１７において、カウントダウンタイマーＴが２４０に設定される。このため、データ処理中およびステップＳ１１とステップＳ１５の繰り返し期間において、カウントダウンタイマーＴの値は、２４０からカウントダウンされることになる。以降は、上述の各ステップの繰り返しとなる。以上のように、外部装置からのアクセス間隔がカウントダウンタイマーＴに設定された時間よりも短い場合、冷却ファンは冷却動作を継続する。
【００３７】
次に、図３（ｂ）のタイムチャートを参照して、外部装置からのアクセス間隔がカウントダウンタイマーＴよりも長い間隔で、かつ、カウントダウンタイマーＴとカウントダウンタイマーＤを合わせた間隔（Ｔ＋Ｄ）よりも短い場合について説明する。図２中のステップＳ１１とステップＳ１５を繰り返してカウントダウンタイマーＴ＝０となると、ステップＳ１５からステップＳ１６に進む。ステップＳ１６では、レジスタＦをＯＦＦすなわち冷却ファンを停止状態にする。つまり、図１のファン駆動スイッチ２２をオープン状態にして、冷却ファン３０、３３、３６、３９の駆動を停止する。
【００３８】
コントローラ２１からファン駆動回路２３に対して供給される制御信号Ｌ１２は、ファン駆動回路２３の出力電圧を制御する制御信号である。コントローラ２１は、冷却ファン３０、３３、３６、３９で使用される電圧を、冷却目的に応じて電圧を設定している。冷却ファンは上記電圧やファンの形状に応じて停止までの時間が異なり一定とはならない。
【００３９】
また図２中のステップＳ１６では、カウントダウンタイマーＤに１８０をセットし、ステップＳ１１に進む。ここで、ファン駆動スイッチ２２がオフ（オープン状態）になると、ファン駆動回路２３に供給される電源Ｌ１７がＬＯＷ（オフ）となる。このため、ファン駆動用充電回路２５から電源Ｌ１４がスイッチ回路２８、３１、３４、３７を介して加算回路２９、３２、３５、３８にそれぞれ供給される。そして冷却ファン３０、３３、３６、３９に対して、電源Ｌ３０、３１、３２、３４がそれぞれ供給される。このため、コントローラ２１がファン駆動スイッチ２２をオフするように制御信号Ｌ１２を出力した場合でも、冷却ファン３０、３３、３６、３９は直ぐに停止することはない。本実施例では、ファン駆動用充電回路２５が設けられていることにより、例えばＡＣコンセントが抜かれた場合でも、冷却ファン３０、３３、３６、３９を一定期間（例えば、第２の期間よりも短い時間）だけ駆動することができる。
【００４０】
ここで、まだ受信データを受け取っていない間は、ステップＳ１１とステップＳ１５を繰り返す。一方、受信データを受け取ると、ステップＳ１１からステップＳ１２に進む。上述のように、ステップＳ１６でカウントダウンタイマーＤが１８０にセットされてカウントダウンされているが、カウントダウンタイマーＤはまだ０になっていない。このとき、コントローラ２１は冷却ファンの非動作期間（Ｄ≠０）であると判定し、ステップＳ１３に進む。そしてコントローラ２１は、ステップＳ１３において受信データに応じた処理を行い、ステップＳ１４において送信データ信号を出力する。このようにコントローラ２１は、冷却ファンの非動作期間（Ｄ≠０）において受信データを受け取った場合、冷却ファンを駆動することなく所定の処理を行う。
【００４１】
このようにコントローラ２１は、第１の期間が経過してから第２の期間において外部装置からアクセス信号（第２の信号）を受信した場合であっても、冷却ファンの駆動を行わないようにファン駆動回路２３を制御する。すなわち、ファン駆動用充電回路２５から供給される電源Ｌ１４により冷却ファンが回転状態にある時間を含む一定期間（第２の期間）は、スイッチ回路２２はオープンのままとなり、冷却ファンの駆動は行われない。
【００４２】
そしてステップＳ１１に戻り、コントローラ２１は受信データを受け取ったか否かを確認する。コントローラ２１が受信データを受け取っていない場合、ステップＳ１５に進む。ステップＳ１１とステップＳ１５を繰り返すうちに冷却ファンが停止してカウントダウンタイマーＤ＝０となる。その後、コントローラ２１が受信データを受け取ると、ステップＳ１２に進む。ここで、カウントダウンタイマーＤの値は０となっているため、ステップＳ１７に進み、スイッチ回路２２を短絡させてファン駆動回路２３を駆動し、カウントダウンタイマーＴに２４０をセットする。以降、最初のデータ受信時と同様の処理が行われる。
【００４３】
次に、図３（ｃ）のタイムチャートを参照して、外部装置からのアクセス間隔がカウントダウンタイマーＴとカウントダウンタイマーＤを合わせた時間Ｔ＋Ｄよりも長い場合について説明する。図２中のステップＳ１５において、コントローラ２１はカウントダウンタイマーＴが０である（Ｔ＝０）と判定すると、ステップＳ１５からステップＳ１６に移行する。ステップＳ１６において、コントローラ２１は冷却ファンを停止状態（スイッチ回路２２をオープン状態）にし、カウントダウンタイマーＤに１８０をセットして、ステップＳ１１に戻る。以降、ステップＳ１１とステップＳ１５を繰り返す。
【００４４】
この繰り返しの期間にカウントダウンタイマーＤの値は徐々に減り、アクセス（受信データ）間隔はＴ＋Ｄよりも長いため、ステップＳ１１とステップＳ１５の繰り返し期間にＤ＝０となる。すなわち、この時点で冷却ファンは既に停止状態となっている。以降、コントローラ２１が受信データを受け取ると、ステップＳ１１からステップＳ１２に進む。ステップＳ１２では既にＤ＝０であるため、ステップＳ１７に進む。ステップＳ１７において、コントローラ２１は、Ｆ＝ＯＮすなわち冷却ファンを駆動し、カウントダウンタイマーＴに２４０をセットする。そしてコントローラ２１は、ステップＳ１３において所定の処理を行い、ステップＳ１４において送信データ出力を行う。その後、ステップＳ１１に戻り、ステップＳ１１とステップＳ１５を繰り返す。その間にカウントダウンタイマーＴの値は０となり、以降、上述と同様の動作を繰り返す。
【００４５】
本実施例では、図３（ｂ）を参照して説明したように、所定の間隔でデータを受信した場合（アクセスがあった場合）、消費電力が上昇しても冷却ファンを動作させない期間が存在する。しかし、冷却ファンの停止前に少なくともカウントダウンタイマーＴの設定期間（第１の期間）の冷却動作を行っている。また、冷却動作が行われないのは、カウントダウンタイマーＤの設定期間（第２の期間）に限定される。それ以降のアクセスに対しては冷却動作を行うため、プロジェクタ内部の温度上昇は一定の範囲に留まる。なお、冷却ファンの非動作期間は、ファン駆動用充電回路の特性や冷却ファンの特性により適宜変更可能である。
【００４６】
上述のとおり、本実施例のコントローラ２１は、カウントダウンタイマーＴに設定された第１の期間内に受信データ信号を受信したと判定した場合、冷却ファンの駆動の際（通信信号の受信の際）に第１の期間のカウントダウンを開始するように再設定する。ただし本実施例はこれに限定されるものではない。例えば、図４に示されるように、ステップＳ１４における送信データ出力が終了してから冷却ファンの駆動期間を設定してもよい。この場合、コントローラ２１は、受信データ信号に対する外部装置への送信データ信号の出力の際に第１の期間を開始するように再設定する。
【００４７】
ステップＳ１４からステップＳ１９に進むと、コントローラ２１は、ステップＳ１７にて冷却ファンを動作させたか否か（Ｆ＝ＯＮ）を判定する。冷却ファンが動作している場合、コントローラ２１はステップＳ２０カウントダウンタイマーＴの値を２４０に設定する（Ｔ＝２４０）。このような構成によれば、送信データ出力が終了してから一定期間、冷却ファンを駆動することができる。
【００４８】
本実施例によれば、外部装置と通信する際に冷却ファンの安定動作が可能な画像表示装置、および、画像表示装置の冷却方法を提供することができる。
【００４９】
以上、本発明の好ましい実施形態について説明したが、本発明はこれらの実施形態に限定されず、その要旨の範囲内で種々の変形及び変更が可能である。
【符号の説明】
【００５０】
２１：コントローラ
３０、３３、３６、３９：冷却ファン
２３：ファン駆動回路
【図１】
2013044975.tif 000003
【図２】
2013044975.tif 000004
【図３】
2013044975.tif 000005
【図４】
2013044975.tif 000006